(57)【特許請求の範囲】
【請求項１】
計時手段と、負荷に通電する時間帯を長期間にわたり設定することができるプログラム設定手段と、設定されたプログラムに基づいて設定された時間帯に負荷を制御する負荷制御手段とを備えた電子式のプログラムタイムスイッチであって、特定期間の始まりの月日と終わりの月日と入時刻と切時刻の入力を表示部に表示される数値の変更で行う操作部を備えており、前記プログラム設定手段は、設定可能な期間のうちの特定期間の始まりの月日と終わりの月日と入時刻と切時刻とを１つのプログラムとして設定保持し、負荷制御手段は上記特定期間内であるかどうかの判断と入時刻や切時刻に一致するかの判断とによって、特定された期間内の日の入時刻に負荷をオンとし、特定された期間内の日の切時刻に負荷をオフとする制御を行うものであり、且つ入り時刻が特定期間の終わりの日である場合の負荷のオンについては、対応する切時刻が特定期間の終わりの月日の翌日である場合、上記翌日の切時刻で負荷をオフさせるものであることを特徴とするプログラムタイムスイッチ。
【請求項２】
特定期間の始まりの月日と終わりの月日と入時刻と切時刻と曜日の入力を表示部に表示される数値と曜日の変更で行う操作部を備えており、プログラム設定手段は、設定可能な期間のうちの特定期間の始まりの月日と終わりの月日と入時刻と切時刻と曜日とを１つのプログラムとして設定保持し、負荷制御手段は上記特定期間内であるかどうかの判断と設定された曜日であるかの判断と入時刻や切時刻に一致するかの判断とによって負荷を制御するものであることを特徴とする請求項１記載のプログラムタイムスイッチ。
【請求項３】
１つの負荷に対して複数のプログラムの設定が可能であり且つ負荷制御手段は設定されている全プログラムに基づいて負荷を制御するものであることを特徴とする請求項１または２記載のプログラムタイムスイッチ。
【請求項４】
複数のプログラムにおいて特定期間を重複可能としていることを特徴とする請求項３記載のプログラムタイムスイッチ。
【請求項５】
プログラム設定手段は閏年であるか否かにかかわらず２月２９日を設定可能としていることを特徴とする請求項１〜４のいずれか１項に記載のプログラムタイムスイッチ。
【請求項６】
計時手段と、負荷に通電する時間帯を長期間にわたり設定することができるプログラム設定手段と、設定されたプログラムに基づいて設定された時間帯に負荷を制御する負荷制御手段とを備えた電子式のプログラムタイムスイッチであって、特定期間の始まりの月日と終わりの月日と入時刻と切時刻の入力を表示部に表示される数値の変更で行う操作部を備えており、前記プログラム設定手段が、設定可能な期間のうちの特定期間の始まりの月日と終わりの月日と入時刻と切時刻とを１つのプログラムとして設定保持し、負荷制御手段が上記特定期間内であるかどうかの判断と入時刻や切時刻に一致するかの判断とによって、特定された期間内の日の入時刻に負荷をオンとし、特定された期間内の日の切時刻に負荷をオフとする制御を行うとともに入り時刻が特定期間の終わりの日である場合の負荷のオンについては、対応する切時刻が特定期間の終わりの月日の翌日である場合、上記翌日の切時刻で負荷をオフさせる機能と、前記プログラム設定手段が、設定可能な期間のうちの任意の月日と入時刻とを１つのプログラムとして設定保持するとともに、設定可能な期間のうちの任意の月日と切時刻とを他のプログラムとして設定保持し、負荷制御手段が上記複数のプログラムに基づいて任意の月日の入時刻に負荷をオンとし任意の月日の切時刻に負荷をオフとする機能とを備えたものであることを特徴とするプログラムタイムスイッチ。
【発明の詳細な説明】
【０００１】
【発明の属する技術分野】
本発明は年間のような長期間にわたって負荷の制御スケジュールを設定することができるプログラムタイムスイッチに関するものである。
【０００２】
【従来の技術】
電子式のタイムスイッチには、２４時間にわたる負荷制御を設定することができるタイムスイッチのほか、１週間にわたる負荷制御を設定することができるタイムスイッチや年間にわたる負荷制御を設定することができるタイムスイッチなどがあるが、設定可能期間が長期間にわたるタイムスイッチも、基本的な構成は２４時間タイムスイッチそのものに、日付の設定を可能とするとともに日付毎にオンオフ時間を変更できるようにしただけのものであった。
【０００３】
【発明が解決しようとする課題】
このために、たとえば特定の期間のある時間帯だけ負荷をオンとしたい場合、その期間の日数分だけオンオフ時刻の設定を繰り返さなくてはならず、きわめて手間であるとともに設定ミスも起こしやすい。季節によって負荷をオンとする時間帯を変えたい場合など、なおさら繁雑で設定ミスを起こす可能性が大きくなる。
【０００４】
太陽の出没時刻を基準に負荷のオンオフ時刻を設定することができるソーラータイムスイッチと称されるものもあるが、これは上記のような要求に応ずることができない。本発明はこのような点に鑑み為されたものであり、その目的とするところはある時間帯の負荷のオンオフを特定の期間内だけ行うという設定を簡便に行うことができる年間タイムスイッチを提供するにあり、また他の目的とするところは、季節によって負荷をオンとする時間帯を変えることについての設定を簡便に行うことができる年間タイムスイッチを提供するにある。
【０００５】
【課題を解決するための手段】
しかして本発明は、計時手段と、負荷に通電する時間帯を長期間にわたり設定することができるプログラム設定手段と、設定されたプログラムに基づいて設定された時間帯に負荷を制御する負荷制御手段とを備えた電子式のプログラムタイムスイッチであって、特定期間の始まりの月日と終わりの月日と入時刻と切時刻の入力を表示部に表示される数値の変更で行う操作部を備えており、前記プログラム設定手段は、設定可能な期間のうちの特定期間の始まりの月日と終わりの月日と入時刻と切時刻とを１つのプログラムとして設定保持し、負荷制御手段は上記特定期間内であるかどうかの判断と入時刻や切時刻に一致するかの判断とによって、特定された期間内の日の入時刻に負荷をオンとし、特定された期間内の日の切時刻に負荷をオフとする制御を行うものであり、且つ入り時刻が特定期間の終わりの日である場合の負荷のオンについては、対応する切時刻が特定期間の終わりの月日の翌日である場合、上記翌日の切時刻で負荷をオフさせるものであることに特徴を有している。ある時間帯に負荷を制御することをある期間だけ行いたい時、その期間の始まりと終わりの月日を入力するだけでよいようにしたものであり、また負荷のオン時間帯が日を越えて跨がる場合においても適切な動作を得ることができるようにしたものである。
【０００６】
この時、特定期間の始まりの月日と終わりの月日と入時刻と切時刻と曜日の入力を表示部に表示される数値と曜日の変更で行う操作部を備え、プログラム設定手段が、設定可能な期間のうちの特定期間の始まりの月日と終わりの月日と入時刻と切時刻と曜日とを１つのプログラムとして設定保持し、負荷制御手段が上記特定期間内であるかどうかの判断と設定された曜日であるかの判断と入時刻や切時刻に一致するかの判断とによって負荷を制御するものである場合、特定期間中の曜日に応じた負荷制御も行うことができる。
【０００７】
また、１つの負荷に対して複数のプログラムの設定が可能であり且つ負荷制御手段は設定されている全プログラムに基づいて負荷を制御するものであると、季節に応じた負荷制御を予め設定して行わせることができる。そして複数のプログラムにおいて特定期間を重複可能としておけば、多様な設定が可能となる。
【０００９】
また、プログラム設定手段は閏年であるか否かにかかわらず２月２９日を設定可能としていると、閏年に関係なく適切な動作を得ることができる。
さらに計時手段と、負荷に通電する時間帯を長期間にわたり設定することができるプログラム設定手段と、設定されたプログラムに基づいて設定された時間帯に負荷を制御する負荷制御手段とを備えた電子式のプログラムタイムスイッチであって、特定期間の始まりの月日と終わりの月日と入時刻と切時刻の入力を表示部に表示される数値の変更で行う操作部を備えており、前記プログラム設定手段が、設定可能な期間のうちの特定期間の始まりの月日と終わりの月日と入時刻と切時刻とを１つのプログラムとして設定保持し、負荷制御手段が上記特定期間内であるかどうかの判断と入時刻や切時刻に一致するかの判断とによって、特定された期間内の日の入時刻に負荷をオンとし、特定された期間内の日の切時刻に負荷をオフとする制御を行うとともに入り時刻が特定期間の終わりの日である場合の負荷のオンについては、対応する切時刻が特定期間の終わりの月日の翌日である場合、上記翌日の切時刻で負荷をオフさせる機能と、前記プログラム設定手段が、設定可能な期間のうちの任意の月日と入時刻とを１つのプログラムとして設定保持するとともに、設定可能な期間のうちの任意の月日と切時刻とを他のプログラムとして設定保持し、負荷制御手段が上記複数のプログラムに基づいて任意の月日の入時刻に負荷をオンとし任意の月日の切時刻に負荷をオフとする機能とを備えたものである場合、長期にわたる負荷の連続運転を行わせることも簡単にできる。
【００１０】
【発明の実施の形態】
本発明の実施の形態の一例について説明すると、このタイムスイッチ１は、図２に示すように、制御盤内に組み込むことができる形態のもので、器体の背面にレール取付部１１を、前面下部に電源や負荷との接続用の端子部１２を、前面中央に操作部２と表示部３とを備えたものとなっている。図４にこのタイムスイッチ１のブロック回路図を示す。負荷のオンオフはラッチングリレーを用いて行うものとしている。
【００１１】
操作部２及び表示部３の詳細を図３に示す。操作部２は、２系統の出力についての通電モードの２つの切換スイッチ２０，２０、曜日設定のための曜日設定部２１、プログラムの確認のための呼出釦２２、プログラム取り消し用の取消釦２３、モード切換釦２４、年月日及び時刻入力用の入力部２８、プログラム書き込み用の設定釦２５、サマータイム設定時の釦２６、リセット釦２７から構成されている。
【００１２】
表示部３は液晶ディスプレーである主表示部３０と、電源表示ランプ３８及び出力表示ランプ３９，３９からなり、主表示部３０はモード表示部３１と補助情報表示部３２と時計表示部３３とプログラム番号表示部３４と曜日表示部３５を備えたものとなっている。
このタイムスイッチ１では、２４時間のうちのある時間帯だけ負荷をオンさせておく設定を行うにあたり、この設定をある期間だけ有効とすることができるとともに所定の曜日だけ有効とすることができるようになっており、このために負荷制御用のプログラムとして、期間の開始月日、期間の終了月日、オンの時刻及び曜日、オフの時刻及び曜日を１つのかたまりとして持つとともに、このようなプログラムを複数持つことができるようになっている。
【００１３】
上記プログラムの手順を説明すると、日付及び時刻合わせがなされているタイムスイッチ１に対して、モード切換釦２４を操作することで、タイマー設定モードに移行する。なお、図５(a)は２系統の出力のうちの「出力１」に対するタイマー設定モードを示しており、モード表示部３１が出力１を指し示すと同時に、補助情報表示部３２が期間の始めを示すための「始」の表示を行い、さらにプログラム番号表示部３４がプログラム番号を表示する。
【００１４】
次に入力部２８によって図５(b)に示すように、期間の開始日を入力部２８で入力した後、設定釦２５を押せば、図５(c)に示すように、補助情報表示部３２が「終」を表示して期間の終わりの入力を促す。図５(d)に示すように、期間の終わりの月日を入力部２８で入力して設定釦２５を押せば、図５(e)に示すように、入時刻の入力待ち状態となる。
【００１５】
この時、曜日表示部３５が月曜から日曜まですべて点灯表示しているが、負荷をオンさせない曜日があれば、曜日設定部２１を操作することで、図５(f)に示すようにその曜日を消灯させ、さらに図５(g)に示すように、入時刻を入力して設定釦２５を押し、次いで図５(h)〜図５(j)に示すように、切時刻を入力して設定釦２５を押すことで、１つのプログラムが終了する。
【００１６】
そして、該プログラムタイムスイッチでは、上記のようなプログラムを複数設定することができるようにしているとともに、これら複数プログラムを同時にチェックするようにしているために、出力１に対して
番号 開始日   終了日   入時刻・曜日   切時刻・曜日
１   ３／１   ５／３１ 17:00/金土日   21:00/金土日
２   ６／１   ８／３１ 18:00/月〜日   22:00/月〜日
３   ９／１ １１／３０ 17:00/金土日   21:00/金土日
４ １２／１   ２／２９ 17:00/金土日   20:00/金土日
というように複数のプログラムを設定すれば、出力１に接続された負荷は図６に示すように、各期間において、異なる時間帯及び異なる曜日でオンとなる。なお、上記プログラムは、たとえば景観照明に好適に用いることができる。また、日付入力に際して、２月はその年が閏年であるか否かにかかわらず、２月２９日の入力を可能としている。複数年にわたり同一プログラムで運転可能とするためである。
【００１７】さらに、１つのプログラムで設定可能な入時刻及び切時刻が夫々１つであるために、複数のプログラムで期間が重複してもよいようにしてある。このために
番号 開始日   終了日   入時刻・曜日   切時刻・曜日
１   ３／１   ５／３１ 13:00/月〜日   13:15/月〜日
２   ６／１   ８／３１ 10:00/月〜日   10:15/月〜日
３   ６／１   ８／３１ 14:00/月〜日   14:15/月〜日
４   ９／１ １１／３０ 13:00/月〜日   13:15/月〜日
５ １２／１   ２／２９ 13:00/月水金日 13:15/月水金日
とプログラムしておけば、負荷は図７に示すように６月１日から８月３１日の期間において、１日に２度オンオフする。
【００１８】
入時刻に対して切時刻が翌日となる設定も可能としてある。つまり、
番号 開始日   終了日   入時刻・曜日   切時刻・曜日
１   ３／１   ５／３１ 18:00/月〜日   6:00/月〜日
２   ６／１   ８／３１ 19:00/月〜日   5:00/月〜日
３   ９／１ １１／３０ 18:00/月〜日   6:00/月〜日
４ １２／１   ２／２９ 17:00/月〜日   7:00/月〜日
としておけば、５月３１日の１８時にオンとなった負荷は、図８に示すように、６月１日の６時にオフとなり、６月１日の１９時に再度オンとなって翌２日の５時にオフとなるようにしてある。各プログラムの最後のオンはそのプログラムでのオフで終わるようにしているものである。
【００１９】
また、各プログラムでは入時刻のみのセット及び切時刻のみのセットも可能とし、
番号 開始日   終了日   入時刻・曜日   切時刻・曜日
１   ６／２０ ６／２０  8:00/月〜日   −−−−−−
２   ９／１５ ９／１５ −−−−−−   17:00/月〜日
と設定しておけば、図９に示すように負荷は１番のプログラムによって６月２０日の８時にオンとなり、２番のプログラムによって９月１５日の１７時にオフとなるまで連続オンとなる。
【００２０】
図１に上記の各動作を可能としている制御フローチャートを示す。マイクロコンピューターからなる制御回路Ｃは、１分毎に全プログラムをみていく図示フローの動作を実行し、いずれかのプログラムの期間内に該当するとともに入時刻及び曜日が一致した（且つオフ信号がない）時、切要求信号をセットするとともにオン信号を出力し、切要求信号があり且つ切時刻と曜日とが一致すればオフ信号を出力する。なお、図９に示したように、切時刻だけが設定されていて入時刻が設定されていない場合には、切要求信号の有無にかかわらずオフ信号を出力させることができるようにしておく。
【００２１】
【発明の効果】
以上のように本発明においては、設定可能な期間のうちの特定期間の始まりの月日と終わりの月日と入時刻と切時刻とを１つのプログラムとして設定保持し、上記特定期間内であるかどうかの判断と入時刻や切時刻に一致するかの判断とによって負荷を制御するものであるために、ある時間帯に負荷を制御することをある期間だけ行いたい時、その期間の始まりと終わりの月日を入力するだけでよいものであり、その期間の全日について夫々設定しなくてはならなかったものに比して、設定の手間を大幅に削減することができるとともにプログラム設定ミスを招く虞れもないものである。しかも、入り時刻が特定期間の終わりの日である場合の負荷のオンについては、対応する切時刻が特定期間の終わりの月日の翌日である場合、上記翌日の切時刻で負荷をオフさせるために、負荷のオン時間帯が日を越えて跨がる場合でも適切な動作を得ることができる。
【００２２】
この時、設定可能な期間のうちの特定期間の始まりの月日と終わりの月日と入時刻と切時刻と曜日とを１つのプログラムとして設定保持し、上記特定期間内であるかどうかの判断と設定された曜日であるかの判断と入時刻や切時刻に一致するかの判断とによって負荷を制御するものである場合、特定期間中の曜日に応じた負荷制御も行うことができるために、曜日に応じた多様な負荷制御も簡単に行うことができる。
【００２３】
また、１つの負荷に対して複数のプログラムの設定が可能であり且つ負荷制御手段は設定されている全プログラムに基づいて負荷を制御するものであると、季節に応じた負荷制御を予め設定して行わせることができ、１年間の設定をまとめて行うものの場合、特に好適に用いることができる。そして複数のプログラムにおいて特定期間を重複可能としておけば、１日のうちに複数のプログラムで一つの負荷を複数回にわたりオンオフすることができるために多様な設定が可能となる。
【００２５】
プログラム設定手段は閏年であるか否かにかかわらず２月２９日を設定可能としたものでは、期間の初日または終わりに２月末日をセットする場合、閏年に関係なく適切な動作を得ることができる。
さらに計時手段と、負荷に通電する時間帯を長期間にわたり設定することができるプログラム設定手段と、設定されたプログラムに基づいて設定された時間帯に負荷を制御する負荷制御手段とを備えた電子式のプログラムタイムスイッチであって、特定期間の始まりの月日と終わりの月日と入時刻と切時刻の入力を表示部に表示される数値の変更で行う操作部を備えており、前記プログラム設定手段が、設定可能な期間のうちの特定期間の始まりの月日と終わりの月日と入時刻と切時刻とを１つのプログラムとして設定保持し、負荷制御手段が上記特定期間内であるかどうかの判断と入時刻や切時刻に一致するかの判断とによって、特定された期間内の日の入時刻に負荷をオンとし、特定された期間内の日の切時刻に負荷をオフとする制御を行うとともに入り時刻が特定期間の終わりの日である場合の負荷のオンについては、対応する切時刻が特定期間の終わりの月日の翌日である場合、上記翌日の切時刻で負荷をオフさせる機能と、前記プログラム設定手段が、設定可能な期間のうちの任意の月日と入時刻とを１つのプログラムとして設定保持するとともに、設定可能な期間のうちの任意の月日と切時刻とを他のプログラムとして設定保持し、負荷制御手段が上記複数のプログラムに基づいて任意の月日の入時刻に負荷をオンとし任意の月日の切時刻に負荷をオフとする機能とを備えたものである場合、長期にわたる負荷の連続運転を行わせることも簡単にできる。
【図面の簡単な説明】
【図１】本発明の実施の形態の一例における制御フローチャートである。
【図２】  (a)は同上の正面図、(b)は同上の側面図である。
【図３】同上の操作部及び表示部の拡大正面図である。
【図４】同上のブロック回路図である。
【図５】  (a)〜(j）は夫々プログラム設定時の表示部の状態を示す正面図である。
【図６】同上の動作の一例のタイムチャートである。
【図７】同上の動作の他例のタイムチャートである。
【図８】同上の動作の別の例のタイムチャートである。
【図９】同上の動作のさらに別の例のタイムチャートである。
【符号の説明】
１ タイムスイッチ
２ 操作部
３ 表示部
【図１】
0003760037.tif 000002
【図２】
0003760037.tif 000003
【図３】
0003760037.tif 000004
【図４】
0003760037.tif 000005
【図５】
0003760037.tif 000006
【図６】
0003760037.tif 000007
【図７】
0003760037.tif 000008
【図８】
0003760037.tif 000009
【図９】
0003760037.tif 000010